(57)【特許請求の範囲】
【請求項１】
ポンプ（Ｂ）を装着して使用するポンプ用レフィール容器であって、口頸部（12）を起立した容器体（A1）と、口頸部（12）に嵌着固定した閉蓋具（A2）とを備え、閉蓋具（A2）は、口頸部（12）内面に液密に嵌着したシール筒部（23）と、シール筒部（23）より、隣相互がスリット状の僅かな隙間を介して周方向放射状に複数突設した弾性板（24）…と、口頸部（12）内外を遮断して各弾性板（24）…上方位置に掛け渡すとともに、環状の破断線（27）を備えて切り取り可能に設けた閉塞板（26）と、破断線（27）内の閉塞板（26）上に起立した把手と、把手に対する外力の影響を防護する防護手段とを備え、全体を合成樹脂により一体に形成してなり、上記各弾性板（24）…を内方へ向かって漸次下降する如く構成し、除去板部（26a ）を取り除いた上方より、弾性板（24）…中央に画成された窓（25）を順次貫通させるパイプ（B3）及びシリンダ（B2）を、各弾性板（24）…を拡開しつつ押し下げてポンプ（Ｂ）を装着することを特徴とするポンプ用レフィール容器。
【請求項２】
上記把手を、破断線（27）内の閉塞板（26）上に起立した支柱（28）上部にプルリング（29）を延設して構成した請求項１に記載のポンプ用レフィール容器。
【請求項３】
上記防護手段を、把手を被覆して開閉可能に設けるとともに、連結部位に易切断性の切断部（46）を備えた蓋体（40）を設けることで構成した請求項１又は請求項２のいずれか一項に記載のポンプ用レフィール容器。
【請求項４】
上記防護手段を、把手周囲を囲繞して把手より高さの高い防護壁（34）を起立することで構成した請求項１又は請求項２のいずれか一項に記載のポンプ用レフィール容器。
【発明の詳細な説明】
【技術分野】
【０００１】
本発明はポンプ用レフィール容器に関する。
【背景技術】
【０００２】
近年の廃棄物処理事情を考慮して、液を使用した後にその液を収納する容器のみを新たなレフィール容器と交換してポンプ自体は再度使用する様に構成されたものが提案されている。（例えば、特許文献１或いは特許文献２を参照）
【０００３】
特許文献１に記載されたポンプ用交換容器は、スタンディングパウチタイプの交換容器であり、筒状の支持体により起立可能に支持されたポンプに対して着脱可能に交換容器を装着する形態をとっている。
【０００４】
また、特許文献２に記載された噴出容器は、外装ケースと交換容器と噴出具とからなり、外装ケースは、保型性を有し、上部に開口部を備えるとともに、分割して開閉自在に設けている。また、交換容器は、保型性の口部と非保型性の容器部とを有し、その容器部内に内容物を収納し、外装ケースを開いてその開口部に口部を嵌め付けるとともに内部に容器部を収納し、外装ケースを閉じてその内部に交換自在に取り付ける。更に、噴出具は、ポンプ形式で、外装ケースの上部に取り付ける。
【０００５】
前者は安価に製造できるという特徴を備えているが、交換容器の先端部を切断してその切断部分をポンプに挟み込むことで連結する構成を採っているためその交換が比較的煩雑で面倒であり、また、先端部を切断した交換容器を誤って倒した場合には多量の液を漏出してしまう虞がある。
【０００６】
後者の場合も交換が比較的面倒であり、交換時に誤って容器を倒せば同様に多量の液の漏出を引き起こす虞がある。また、ポンプをはずせば容器内の液を簡単に詰め替えることが可能でもある。
【先行技術文献】
【特許文献】
【０００７】
【特許文献１】特開２００１−０１９０１３号公報
【特許文献２】特開平０８−０１１９６０号公報
【発明の概要】
【発明が解決しようとする課題】
【０００８】
本発明は上記した点に鑑みてなされたものであり、ポンプへの交換を極めて簡単な操作で行うことができ、また、交換時に誤って倒すことがあっても収納液の漏出を極力少量に制限でき、また、収納液の詰め替え等のいたずらを極力防止できる優れたポンプ用のレフィール容器を提案する。
【課題を解決するための手段】
【０００９】
第１の手段として、以下の通り構成した。即ち、ポンプＢを装着して使用するポンプ用レフィール容器であって、口頸部12を起立した容器体A1と、口頸部12に嵌着固定した閉蓋具A2とを備え、閉蓋具A2は、口頸部12内面に液密に嵌着したシール筒部23と、シール筒部23より、隣相互がスリット状の僅かな隙間を介して周方向放射状に複数突設した弾性板24…と、口頸部12内外を遮断して各弾性板24…上方位置に掛け渡すとともに、環状の破断線27を備えて切り取り可能に設けた閉塞板26と、破断線27内の閉塞板26上に起立した把手と、把手に対する外力の影響を防護する防護手段とを備え、全体を合成樹脂により一体に形成してなり、上記各弾性板24…を内方へ向かって漸次下降する如く構成し、除去板部26a を取り除いた上方より、弾性板24…中央に画成された窓25を順次貫通させるパイプB3及びシリンダB2を、各弾性板24…を拡開しつつ押し下げてポンプＢを装着することを特徴とする。
【００１１】
第２の手段として、以下の通り構成した。即ち、前記第１の手段に於いて、上記把手を、破断線27内の閉塞板26上に起立した支柱28上部にプルリング29を延設して構成した。
【００１２】
第３の手段として、以下の通り構成した。即ち、前記第１の手段又は第２の手段のいずれか一つの手段に於いて、上記防護手段を、把手を被覆して開閉可能に設けるとともに、連結部位に易切断性の切断部46を備えた蓋体40を設けることで構成した。
【００１３】
第４の手段として、以下の通り構成した。即ち、前記第１の手段又は第２の手段のいずれか一つの手段に於いて、上記防護手段を、把手周囲を囲繞して把手より高さの高い防護壁34を起立することで構成した。
【発明の効果】
【００１４】
本発明によれば、通常の容器体A1に合成樹脂により一体に形成した閉蓋具A2を嵌着しただけの簡単な構造であり、通常の容器体A1の使用が可能であるため汎用性に富み、安価に製造できる利点がある。また、使用に当たっては例えば、把手を握って引っ張るだけで閉塞板26を切断除去でき、使用済の容器から外したポンプＢを装着するという簡単な操作での交換が可能であり、その交換操作が極めて簡単である。更に、隣相互がスリット状の僅かな隙間ｄを介して周方向放射状に複数突設した各弾性板24…を備えているため、開封後誤って容器を倒すことがあっても、その液の漏出量を極力少量とすることができ、特に収納液が粘度の高いものの場合には殆ど漏出を防止できる利点がある。また、各弾性板24…の存在で液を迅速に注入することも難しく、従って、液の詰め替え等のいたずらを極力防止できる。
【００１５】
また、破断線27内の閉塞板26上に起立した把手に対する外力の影響を防護する防護手段とを備えているため、交換前には外力により誤って破断線27の一部が破断してしまう等の不都合を防止できる。更に、合成樹脂により一体に形成することができるため、この点からも安価に製造できる利点もある。
【００１６】
上記各弾性板24…が内方へ向かって漸次下降する如く構成した場合には、ポンプＢを装着する際に、そのパイプB3やシリンダB2により全体が下方へ回動する如く弾性変形し易く、また、ポンプＢを抜き出す際にシリンダB2やパイプB3の周囲の付着液をより効率よくそぎ落とすことができる利点がある。また、その上方に閉塞板26が存在することによる製造時の型の無理抜きをより自然に行える利点もある。
【００１７】
上記把手を、破断線27内の閉塞板26上に起立した支柱28上部にプルリング29を延設して構成した場合には、その高さを極力低くしても効率よく破断線27内の閉塞板26を取り除くことができ、その結果防護手段の高さを極力低く形成でき、材料費の節約に繋がる。
【００１８】
上記防護手段を、把手を被覆して開閉可能に設けるとともに、連結部位に易切断性の切断部46を備えた蓋体40を設けることで構成した場合には、把手を確実に防護でき、また、操作時にも蓋体40を引っ張って切断するという簡単な操作が加わるだけなので、交換操作も変わらずに簡便に行える。
【００１９】
上記防護手段を、把手周囲を囲繞して把手より高さの高い防護壁34を起立することで構成した場合には、構造がより簡素化されるため材料費の節約に繋がり、交換操作もより簡便となる。
【図面の簡単な説明】
【００２０】
【図１】レフィール容器の要部縦断面図である。（実施例１）
【図２】弾性板部分の要部平面図である。（実施例１）
【図３】レフィール容器の使用を説明する説明図である。（実施例１）
【図４】レフィール容器の使用を説明する説明図である。（実施例１）
【図５】ポンプを装着したレフィール容器の一部切欠き側面図である。（実施例１）
【図６】レフィール容器の要部縦断面図である。（実施例２）
【図７】ポンプを装着したレフィール容器の一部切欠き側面図である。（実施例２）
【発明を実施するための形態】
【００２１】
以下、本発明の形態を図面を参照して説明する。
【００２２】
図１乃至図５はポンプ用レフィール容器Ａ（以下、レフィール容器Ａという）の一例を示し、レフィール容器Ａは、容器体A1と、閉蓋具A2とを備えている。
【００２３】
容器体A1は合成樹脂等により形成されたもので、筒状の胴部10より肩部11を介して口頸部12を起立している。口頸部12の上端部は縮径部12a に形成し、そこに係止突条13を周設している。また、縮径部12a 下方の口頸部12外周には雄螺子14を周設している。
【００２４】
閉蓋具A2は合成樹脂により一体に成形されたもので、口頸部12の外周に装着筒20を嵌合させて容器体A1に嵌着固定しており、装着筒20の内面の係合突条21を口頸部12外面の係止突条13に乗り越え係合させて抜け出しの防止を図っている。また、装着筒20の上端より内方へ延設したフランジ22の下面より、口頸部12内周に密嵌させたシール筒部23を垂設している。
【００２５】
シール筒部23の下部内面からは複数の弾性板24…を突設している。各弾性板24…は、隣相互がスリット状の僅かな隙間ｄを介して周方向放射状に複数突設しており、シール筒部23の内面から漸次下降し、中央に窓25を画成している。尚、各弾性板24…は必ずしも内方へ向かって漸次下降したものに限らず、水平に形成されたものであっても良い。
【００２６】
また、シール筒部23の上部内面には閉塞板26を掛け渡している。閉塞板26は周縁部に薄肉の環状の破断線27を設けて、その内側を除去板部26a として構成しており、除去板部26a の上面には把手を起立している。本例に於ける把手は除去板部26a 上に起立した支柱28と、支柱28の上部より水平方向へ延設したプルリング29とで構成している。上記閉塞板26は口頸部12内外を遮断するもので、シール筒部23内面に掛け渡したものに限らず、各弾性板24…の上方位置に、口頸部12内外を遮断して掛け渡したものであれば良く、例えば、後述する支持筒31内面に掛け渡すことも可能である。また、除去板部26a の大きさ，形状は、ポンプＢのパイプB3或いはシリンダB2が挿通可能な大きさ、形状であれば種々選択できる。
【００２７】
また、フランジ22の上面内周縁部からは、外周に係合用の突条30を突設した支持筒31を起立し、支持筒31の外周に着脱可能に嵌合させた切り取り可能な蓋体40を備えている。蓋体40は、周壁41の上端縁より頂壁42を延設した伏皿状をなし、周壁41内周に周設した係止用の凹溝43を支持筒31外周の係合用の突条30に係合させて周壁41の下部を支持筒31外周に着脱可能に嵌合させ、また、周壁41の後部をフランジ22の後部にヒンジ44を介して連結し、周壁41前部には指掛け部45を突設している。更に、ヒンジ44の基端部には易切断性の切断部46を設けて切り取り可能に構成している。
【００２８】
上記の如く構成したレフィール容器Ａを使用する場合には、例えば、図１の状態から蓋体40を開き、その切断部46を切断して図３に示す如く蓋体40を除去し、次いで、プルリング29を引いて環状の破断線27を切断するとともに除去板部26a を除去する。しかる後、上方からポンプＢを装着する。
【００２９】
ポンプＢは、装着キャップB1、シリンダB2、パイプB3、作動部材B4等を備えた公知機構のものである。装着キャップB1の周壁部50内周には口頸部12外周の雄螺子14と螺合する雌螺子51を周設し、装着キャップB1内周上部にシリンダB2の上端部を固定し、シリンダB2の下端にはパイプB3の上端を嵌着している。また、シリンダB2内に下部を挿入して上方付勢状態で上下動可能に装着された作動部材B4は、上端部を構成するノズル70付き吐出ヘッド71を備え、下部はシリンダB2内を摺動する環状ピストン（図示せず）に連繋させた公知機構を備えている。尚、使用するポンプＢは上記構成のものに限らず、少なくともシリンダを口頸部12から挿入して容器体に着脱可能に装着する形態のものであれば、シリンダ下端に吸い上げ用のパイプを垂設したものでなくても良い。その場合、収納液の減少に伴って底壁が上昇する如く構成した容器体の形態が好適である。
【００３０】
そして、図４に示す如く、蓋体40及び除去板部26a を取り除いたレフィール容器Ａの上方からパイプB3を挿入し、順次窓25を貫通させたパイプB3及びシリンダB2により各弾性板24…を拡開しつつ押し下げ、装着キャップB1を口頸部12外周に螺着して容器体A1にポンプＢを装着する。取り外す際には、図５の状態から装着キャップB1を螺脱してシリンダB2を引き上げれば簡単に取り外すことができる。
【００３１】
図６及び図７は他の例を示し、図１の例に於いて、蓋体40及び支持筒31の存在がなく、フランジ22から防護壁34を起立している。この防護壁34はプルリング29の高さと同じかそれ以上に構成され、外力のプルリング29への影響を防止する。その他の構成は図１の例と同様であるため、同符号を付して説明を省略する。
【００３２】
この場合には、例えば図６の状態から、プルリング29を引いて環状の破断線27を切断するとともに除去板部26a を除去する。しかる後、同様に上方からポンプＢを装着する。
【符号の説明】
【００３３】
Ａ…ポンプ用レフィール容器
A1…容器体
10…胴部，11…肩部，12…口頸部，12a …縮径部，13…係止突条，14…雄螺子
A2…閉蓋具
20…装着筒，21…係合突条，22…フランジ，23…シール筒部，24…弾性板，
ｄ…隙間，25…窓，26…閉塞板，26a …除去板部，27…環状の破断線，
28…支柱，29…プルリング，30…係合用の突条，31…支持筒，32…防護壁，
40…蓋体，41…周壁，42…頂壁，43…係止用の凹溝，44…ヒンジ，
45…指掛け部，46…切断部
Ｂ…ポンプ
B1…装着キャップ
50…周壁部，51…雌螺子
B2…シリンダ
B3…パイプ
B4…作動部材
70…ノズル，71…吐出ヘッド
【図１】
0005459769.tif 000002
【図２】
0005459769.tif 000003
【図３】
0005459769.tif 000004
【図４】
0005459769.tif 000005
【図５】
0005459769.tif 000006
【図６】
0005459769.tif 000007
【図７】
0005459769.tif 000008